(57)【要約】【課題】  表示ユニットの前面に配置されるパネルの結露を防止した表示装置を提供する。【解決手段】  表示装置は、主表面を有する液晶ユニット１１と、液晶ユニット１１に対して、固定部材１２ａを介して、液晶ユニット１１の主表面に平行になるように固定された保護フィルタ１０とを備え、液晶ユニット１１の主表面、保護フィルタ１０および固定部材１２ａに囲まれる狭隙空間を有し、狭隙空間と狭隙空間の外側とで空気の流通を可能にするための通気手段を備える。上記の通気手段は、固定部材１２ａの保護フィルタ１０が固定される側に形成された補助溝１と、補助溝１と表示装置の内部空間とを連通する連通穴２とを含む。【選択図】        図３
2005062777.tif 000002
【特許請求の範囲】
【請求項１】
主表面を有する表示ユニットと、
前記表示ユニットに対して、固定部材を介して前記主表面に平行になるように固定されたパネルと
を備え、
前記主表面、前記パネルおよび前記固定部材に囲まれる狭隙空間を有し、
前記狭隙空間と前記狭隙空間の外側とで空気の流通を可能にするための通気手段を備える、表示装置。
【請求項２】
前記通気手段は、前記固定部材の前記パネルが固定されている側に、前記狭隙空間と前記表示装置の外部とを連通するための開放溝を含む、請求項１に記載の表示装置。
【請求項３】
前記固定部材に接着固定された本体キャビネットを備え、
前記表示ユニットは、前記固定部材と前記本体キャビネットとに囲まれる内部空間に配置され、
前記通気手段は、前記狭隙空間と前記内部空間とを連通するための内部連通手段を含む、請求項１に記載の表示装置。
【請求項４】
前記内部連通手段は、前記固定部材の前記パネルが固定される側に形成された補助溝と、
前記補助溝と前記内部空間とを連通する連通穴と
を含む、請求項３に記載の表示装置。
【請求項５】
前記固定部材は、前記内部空間と前記表示装置の外側とを連通するための貫通穴を含む、請求項４に記載の表示装置。
【請求項６】
前記通気手段は、非硬化性の接着部材が配置された側壁を含む、請求項１に記載の表示装置。
【請求項７】
前記通気手段は、前記固定部材に形成され、
前記表示装置のうち、使用時に上側となる側に、他の側より多く形成された、請求項１に記載の表示装置。
【請求項８】
前記表示ユニットは、液晶表示ユニットである、請求項１に記載の表示装置。
【発明の詳細な説明】
【技術分野】
【０００１】
本発明は、表示装置に関する。特に、表示モニタの外側にフィルタなどのパネルが装着された表示装置に関する。
【背景技術】
【０００２】
映像モニタなどの表示装置において、映像が表示される表示モニタの主表面には、主表面に外傷がつかないように保護するための保護フィルタやタッチパネルなどのパネルが取付けられる場合がある。図１６に、従来の技術に基づく表示装置のうち、液晶表示装置の分解図を示す。映像は、表示ユニットとしての液晶ユニット１１の主表面に表示される。この液晶表示装置には、パネルとしての保護フィルタ１０が、液晶ユニット１１の主表面と平行になるように取付けられる。保護フィルタ１０は、液晶ユニット１１の主表面を保護するためのものである。液晶ユニット１１と保護フィルタ１０とは、固定部材１５を介して固定される。
【０００３】
固定部材１５は、枠型に形成されており、片側には保護フィルタ１０を挿入するためのフィルタ挿入部３１が形成されている。フィルタ挿入部３１は、保護フィルタ１０の外形に合せて内側に凹んだ部分である。フィルタ挿入部３１の底面は平面状に形成され、保護フィルタ１０は、両面テープ２０を挟んで保護フィルタ１０と固定部材１５との間に隙間が生じないように固定される。固定部材１５と液晶ユニット１１との間には、隙間防止クッション２２が挟まれる。隙間防止クッション２２は、液晶ユニット１１と固定部材１５との間に隙間が生じて埃などが侵入することを防止するためのものである。隙間防止クッション２２は、図示しない両面テープで、固定部材１５と液晶ユニット１１とに貼り付けられる。それぞれの両面テープは、枠型に形成され、接着固定する部材同士の間に隙間が生じないように貼り付けられる。これらの部材は、矢印５１に示すように、本体キャビネット１３に配置される。
【０００４】
図１７（ａ）および図１７（ｂ）は、従来の技術に基づく表示装置の説明図であり、図１７（ａ）は平面図、図１７（ｂ）は図１７（ａ）におけるＸＶＩＩＢ−ＸＶＩＩＢ線に関する矢視断面図である。
【０００５】
表示装置は、一体的に形成され、固定部材１５と本体キャビネット１３とで外側の筐体が形成されている。固定部材１５と本体キャビネット１３とは、接着固定されている。液晶ユニット１１は、固定部材１５と本体キャビネット１３とで囲まれる筐体の内部に配置される。液晶ユニット１１の映像面の前側には、保護フィルタ１０が配置されている。
【０００６】
図１８に、図１７（ｂ）におけるＦ部の拡大図を示す。固定部材１５と保護フィルタ１０とは両面テープ２０で接着固定され、固定部材１５と液晶ユニット１１とは、隙間防止クッション２２を介して両面テープ２１で接着固定されている。両面テープ２０，２１は、それぞれの部材を接着固定する役割の他に、装置の内部に埃が侵入しないように密閉する役割を果たす。液晶ユニット１１、固定部材１５および保護フィルタ１０に囲まれる密閉された空間が形成されている。本明細書においては、少なくとも表示ユニットとパネルに挟まれて密閉された空間を「狭隙空間」という。
【０００７】
特開平７−６７０５８号公報には、カメラドアフォンなどにおいて、外気と内部との温度差によって結露が生じることを防止した表示パネルが開示されている。この表示パネルは、表示パネル本体と表面パネルとの間に防水性両面テープが介在して、両者が固定される。防水性両面接着テープは、レンズ部分に丸穴が形成されている。レンズ部分以外の部分において、表示パネル本体と表面パネルとの間に多数の空間が形成されている。防水性両面接着テープによって、レンズ部分以外の部分に熱を逃がすとともに、表示パネル本体と表面パネルとの間に設けられた空気膜により熱伝達を遅らせることができる。したがって、表示パネルの裏面に結露が生じることを防止できるというものである。
【特許文献１】特開平７−６７０５８号公報（第５−１４段落、第１図）
【発明の開示】
【発明が解決しようとする課題】
【０００８】
映像などは、液晶ユニット１１の主表面に表示される。たとえば、図１８に示すように、液晶ユニット１１の映像面を上側に置いて使用した場合、狭隙空間において、液晶ユニット１１から発生した熱は、矢印４４に示すように、狭隙空間の内部で滞留する。したがって、狭隙空間の内部の温度は、外気の温度よりも高くなり、この温度差によって、保護フィルタ１０に結露が生じる場合があった。特に、保護フィルタ１０の内側となる面に結露が生じていた。
【０００９】
特開平７−６７０５８号公報に開示されている表示パネルは、結露を避けるべき部分が、レンズが形成されている領域のみであり、その他の部分については、両面接着テープが貼り付けられていても構わない。しかし、表示装置においては、外側から映像が見えるようにするため、映像が表示される部分に、両面接着テープなどの伝熱材を配置することは不可能である。
【００１０】
本発明の目的は、上記の問題点を解決するためになされたものであり、表示ユニットの前面に配置されるパネルの結露を防止した表示装置を提供することを目的とする。
【課題を解決するための手段】
【００１１】
上記目的を達成するため、本発明に基づく表示装置は、主表面を有する表示ユニットと、上記表示ユニットに対して、固定部材を介して上記主表面に平行になるように固定されたパネルとを備え、上記主表面、上記パネルおよび上記固定部材に囲まれる狭隙空間を有し、上記狭隙空間と上記狭隙空間の外側とで空気の流通を可能にするための通気手段を備える。この構成を採用することによって、上記パネルに結露が生じることを防止できる。
【００１２】
上記発明において好ましくは、上記通気手段は、上記固定部材の上記パネルが固定されている側に、上記狭隙空間と上記表示装置の外部とを連通するための開放溝を含む。この構成を採用することにより、上記通気手段を容易に形成することができる。
【００１３】
上記発明において好ましくは、上記固定部材に接着固定された本体キャビネットを備え、上記表示ユニットは、上記固定部材と上記本体キャビネットとに囲まれる内部空間に配置され、上記通気手段は、上記狭隙空間と上記内部空間とを連通するための内部連通手段を含む。この構成を採用することによって、上記表示装置の内部および外部は連通されておらず、上記外部から上記内部に埃などの異物が侵入することを防止できる。
【００１４】
上記発明において好ましくは、上記内部連通手段は、上記固定部材の上記パネルが固定される側に形成された補助溝と、上記補助溝と上記内部空間とを連通する連通穴とを含む。この構成を採用することにより、上記内部連通手段を容易に形成することができる。
【００１５】
上記発明において好ましくは、上記固定部材は、上記内部空間と上記表示装置の外側とを連通するための貫通穴を含む。この構成を採用することにより、上記表示装置の内部の熱を環境に放出することができ、上記狭隙空間の温度上昇を抑制する能力が向上する。
【００１６】
上記発明において好ましくは、上記通気手段は、非硬化性の接着部材が配置された側壁を含む。この構成を採用することにより、埃などの異物を上記接着部材に接着させることができ、上記表示装置の内部に侵入することを抑制できる。
【００１７】
上記発明において好ましくは、上記通気手段は、上記固定部材に形成され、上記表示装置のうち、使用時に上側となる側に、他の側より多く形成されている。この構成を採用することにより、上記狭隙空間から効率よく熱を放出することができる。
【００１８】
上記発明において好ましくは、上記表示ユニットは、液晶表示ユニットである。上記液晶表示ユニットは、薄型で軽量のものが多い。したがって、上記液晶表示ユニットが備えられた液晶表示装置は、随時、設置場所を変更して使用される場合があり、外部の温度が急激に変化することがある。このような場合には、本発明の効果が特に顕著になる。
【発明の効果】
【００１９】
本発明によれば、パネルの結露を防止できる表示装置を提供することができる。
【発明を実施するための最良の形態】
【００２０】
（実施の形態１）
（構成）
図１から図５を参照して、本発明に基づく実施の形態１における表示装置について説明する。
【００２１】
図１は、本実施の形態における表示装置の分解図である。本実施の形態における表示装置は、液晶ユニットを使用した液晶表示装置である。本実施の形態における液晶表示装置には、パネルとしての保護フィルタ１０が前面に取り付けられている。保護フィルタ１０は、液晶ユニット１１の映像が表示される面を傷つけないように保護するためのものである。保護フィルタ１０は、平面形状が略長方形の平板状に形成されている。保護フィルタ１０は、固定部材１２ａを介して液晶ユニット１１に取付けられる。固定部材１２ａの上面には、保護フィルタ１０を挿入するためのフィルタ挿入部３０ａが形成されている。保護フィルタ１０は、両面テープ２０によって、固定部材１２ａに貼り付けられる。両面テープ２０は、フィルタ挿入部３０ａの底面の形状に沿うように、枠型に形成されている。両面テープ２０は、４本の矩形状の両面テープが組み合わせられたものである。
【００２２】
固定部材１２ａのフィルタ挿入部３０ａが形成されている側と反対側には、隙間防止クッション２２を介して、液晶ユニット１１が貼り合わせられる。隙間防止クッション２２は、弾力性がある。隙間防止クッション２２は、固定部材１２ａと液晶ユニット１１との間に隙間が生じるのを防止するためのものである。隙間防止クッション２２と固定部材１２ａとは、図示しない両面テープで互いに貼り付けられる。また、隙間防止クッション２２と液晶ユニット１１とは、図示しない両面テープで互いに貼り付けられる。これらの両面テープは、両面テープ２０と同様に枠型に形成されている。それぞれの部材は、矢印５０に示すように、本体キャビネット１３に収められて一体化する。本体キャビネット１３は、液晶ユニット１１などの機器を囲むように形成されている。固定部材１２ａは、本体キャビネット１３と接着固定される。固定部材１２ａと本体キャビネット１３が接着固定されることによって、液晶表示装置の筐体が形成されている。
【００２３】
図２（ａ）および図２（ｂ）は、本実施の形態における表示装置の説明図であり、図２（ａ）は、表示装置の平面図、図２（ｂ）は、図２（ａ）におけるＩＩＢ−ＩＩＢ線に関する矢視断面図である。
【００２４】
保護フィルタ１０は、固定部材１２ａに嵌め込まれ、表示装置の主表面は、平面状に形成されている。保護フィルタ１０の表側には、裏側に貼りつけられた両面テープを隠すために、保護フィルタ１０の外縁に沿うように、不透明領域６１が形成されている。液晶ユニット１１は、保護フィルタ１０、固定部材１２ａおよび本体キャビネット１３とに囲まれる空間の内部に配置される。液晶ユニット１１は、保護フィルタ１０が配置されている側に映像を表示するように固定部材１２ａに接着固定されている。
【００２５】
図３に、図２（ｂ）におけるＡ部の拡大図を示す。固定部材１２ａと本体キャビネット１３とは、それぞれの端面が互いに接着するように固定され、表示装置の筐体内部である内部空間が形成されている。固定部材１２ａのフィルタ挿入部３０ａには、保護フィルタ１０が嵌めこまれている。保護フィルタ１０と固定部材１２ａとは、両面テープ２０で接着固定されている。固定部材１２ａと液晶ユニット１１とは、隙間防止クッション２２を介して、接着固定されている。隙間防止クッション２２は、両面テープ２１を用いて固定部材１２ａおよび液晶ユニット１１に接着固定されている。液晶ユニット１１と保護フィルタ１０との間には狭隙空間が形成されている。液晶ユニット１１の映像面と保護フィルタ１０とは、ほぼ平行になるように形成されている。
【００２６】
図４（ａ）および図４（ｂ）に、本実施の形態における固定部材の説明図を示す。図４（ａ）は、固定部材１２ａの平面図であり、図４（ｂ）は、図４（ａ）におけるＩＶＢ−ＩＶＢ線に関する矢視断面図である。固定部材１２ａは、内側および外側の平面形状が長方形となるような枠型に形成されている。フィルタ挿入部３０ａは、固定部材１２ａの表面を切欠くように形成され、フィルタ挿入部３０ａの底面は平面状である。
【００２７】
本実施の形態においては、狭隙空間と狭隙空間の外側とで空気の流通を可能にするための通気手段として、狭隙空間と表示装置の内部空間と連通するための内部連通手段を備えている。内部連通手段として、フィルタ挿入部３０ａの底面に、補助溝１と連通穴２とが形成されている。補助溝１は、固定部材１２ａの外縁の形状である長方形の１辺に垂直になるように形成されている。補助溝１の外側の端には、固定部材１２ａを上下方向に貫通する連通穴２が形成されている。
【００２８】
図４（ａ）において、矢印５２に示す向きが表示装置の使用時に上側となる向きである。フィルタ挿入部３０ａのうち、補助溝１および連通穴２は、矢印５２に示す側に他の側よりも数多く形成されている。フィルタ挿入部３０ａの内側の縁の形状である長方形のうち、矢印５２に示す側の辺には、１６個の補助溝１および連通穴２が形成されているのに対して、その他の辺には、それぞれ８個の補助溝１および連通穴２が形成されている。すなわち、固定部材１２ａのうち、使用時に上側となる側に、他の側より多くの通気手段が形成されている。
【００２９】
図５に、図４（ｂ）におけるＢ部の拡大図を示す。補助溝１は、フィルタ挿入部３０ａの底面より深くなる溝状に形成されている。補助溝１は、フィルタ挿入部３０ａの内側から外側に向かうように形成されている。連通穴２は、フィルタ挿入部３０ａと保護フィルタが取付けられる側の反対側とを連通するように形成されている。連通穴２は、補助溝１の端に接続するように形成されている。
【００３０】
（作用・効果）
図３に示すように、保護フィルタ１０がフィルタ挿入部３０ａの底面の略全体を覆うため狭隙空間は密閉された空間になるが、ここに、固定部材１２ａに補助溝１と連通穴２とが形成されることによって、狭隙空間と内部空間とが連通して空気の流通が可能になる。
【００３１】
表示装置は、映像などが表示される映像面が、液晶ユニット１１と保護フィルタ１０とで挟まれる狭隙空間に接触している。液晶ユニット１１が駆動されると、液晶ユニット１１が、発熱して狭隙空間の温度が上昇する。本実施の形態における固定部材１２ａは、狭隙空間と表示装置の内部空間とが連通するための内部連通手段を含んでいる。このため、矢印４０に示すように狭隙空間の熱を内部空間に放出することができ、狭隙空間の温度が上昇することを抑制できる。狭隙空間および内部空間の熱は、保護フィルタ１０、固定部材１２ａおよび本体キャビネット１３の外側の表面から表示装置の外部に放出される。このように、外部へ熱を放出する伝達面積を大きくすることができる。この結果、保護フィルタの内側と外側との温度差を小さくして結露が生じることを防止できる。
【００３２】
このように、狭隙空間と狭隙空間の外側とで空気の流通を可能にするための通気手段を備えることによって、保護フィルタに結露が生じることを防止できる。
【００３３】
通気手段として、狭隙空間と内部空間とを連通するための内部連通手段を形成することによって、表示装置の外部とは連通した構造を採用しないで、狭隙空間の温度上昇を抑制できる。したがって、外部から埃などの異物が表示装置の内部に侵入することを防止できる。内部連通手段として、保護フィルタが接着固定される側に形成された補助溝と、補助溝と表示装置の内部空間とを連通する連通穴を形成することによって、上記の内部連通手段を容易に形成することができる。
【００３４】
また、本実施の形態においては、表示装置の使用時に上側となる側に、他の側よりも通気手段が数多く形成されている。狭隙空間では、対流によって、使用時に上側となる側が高温になる。したがって、この側に多くの通気手段が形成されることによって、効率よく高温の空気が狭隙空間から外側に放出される。それぞれの側の通気手段の数は、表示装置の発熱量や表示装置の使用する向きに応じて調整することが好ましい。
【００３５】
本実施の形態における表示装置は、液晶表示装置である。液晶表示装置は、薄型で軽量のため、持ち運びを容易に行なうことができるものが多い。よって、表示装置の外部の環境温度が急激に変化する場合がある。このような場合には、特に結露が発生しやすく、本発明を液晶表示装置に適用することによって、結露を防止する効果が顕著になる。
【００３６】
本実施の形態においては、表示装置に取り付けられるパネルとして、保護フィルタが取りつけられている。パネルとしては、保護フィルタの他に、デザイン性の向上を目的としたフィルタや、タッチパネルのような特別な機能を持たせたものがある。これらのいずれのパネルに対しても本発明を適用することができる。
【００３７】
また、固定部材は、筐体としての機能を有している必要はなく、たとえば、保護フィルタとパネルとを固定するのみの機能を有する平板状の固定部材が、別途形成された筐体に固定されていてもよい。内部連通手段としては、補助溝および連通穴に限られず、たとえば、狭隙空間と内部空間とを連通するように、固定部材の内部に直線状の穴を形成してもよい。
【００３８】
装置の組立てにおいて、保護フィルタと固定部材とを両面テープで固定する場合には、両面テープがフィルタ挿入部に形成した補助溝を塞がないように、両面テープを先に保護フィルタに貼り付けることが好ましい。
【００３９】
両面テープとしては、故障時の分解やリサイクルを考慮して、引張り強度が強く、途中で切断されずに引き剥がすことができるものが好ましい。たとえば、日東電工株式会社製ＮＯ．５０００を使用することが好ましい。
【００４０】
（実施の形態２）
（構成）
図６から図８を参照して、本発明に基づく実施の形態２における表示装置について説明する。
【００４１】
本実施の形態の表示装置において、固定部材と本体キャビネットとに囲まれる内部に液晶ユニットが配置され、固定部材の表側には保護フィルタが配置されていることは、実施の形態１における表示装置と同様である。本実施の形態における表示装置は、固定部材のフィルタ挿入部に形成された通気手段の構成が異なる。
【００４２】
図６（ａ）および図６（ｂ）に、本実施の形態における固定部材の説明図を示す。図６（ａ）は、本実施の形態における固定部材の平面図であり、図６（ｂ）は、ＶＩＢ−ＶＩＢ線に関する矢視断面図である。固定部材１２ｂは、実施の形態１における固定部材と同様に、内側および外側がほぼ長方形の枠型に形成され、上側となる面には一部が切欠かれたフィルタ挿入部３０ｂが形成されている。本実施の形態における通気手段は、固定部材の保護フィルタが固定される側に、狭隙空間と表示装置の外側とを連通するための開放溝３ａ，３ｂが形成されている。すなわち、実施の形態１における補助溝および連通穴の代わりに開放溝３ａ，３ｂが形成されている。開放溝３ａ，３ｂは、フィルタ挿入部３０ｂの底面に形成されている。
【００４３】
図６（ａ）において、矢印５２に示す向きが使用時に上側となる向きであり、フィルタ挿入部３０ｂの使用時に上下となる側には、開放溝３ａが複数個形成されている。開放溝３ａは、平面形状において、固定部材１２ｂの外側から内側に向かって広くなるように形成されている。また、開放溝３ａは、使用時に下側となる側よりも、上側となる側に数多く形成されている。フィルタ挿入部３０ｂの使用時に左右となる側には、固定部材１２ｂの内側から外側に向かって、開放溝３ｂが形成されている。固定部材１２ｂの平面形状において、開放溝３ｂは、幅が一定になるように形成されている。また、使用時に左側になる側の開放溝３ｂと右側の開放溝３ｂとは、それぞれの位置が対称になるように形成されている。
【００４４】
図７に、図６（ｂ）におけるＣ部の拡大図を示す。開放溝３ｂは、フィルタ挿入部３０ｂの底面よりも深くなるように形成されている。開放溝３ｂは、固定部材１２ｂの内側から外側に向かって、徐々に浅くなるように形成されている。開放溝３ｂは、フィルタ挿入部３０ｂの底面の一方から他方にわたって、底面全体を横断するように形成されている。図７には、開放溝３ｂが示されているが、開放溝３ａについても断面の形状は同様である。
【００４５】
その他の構成については、実施の形態１における表示装置と同様であるので、ここでは説明を繰返さない。
【００４６】
（作用・効果）
各部材が、両面テープで接着固定されていることや、保護フィルタと表示ユニットの間に狭隙空間が形成されていることは、実施の形態１における表示装置と同様である。
【００４７】
図８に、本実施の形態における表示装置のうち、通気手段が形成されている部分の拡大断面図を示す。固定部材１２ｂと液晶ユニット１１とが、隙間防止クッション２２を挟んで両面テープ２１で固定されていることや、固定部材１２ｂの端面と本体キャビネット１３の端面とが互いに接着固定されていることは、実施の形態１と同様である。
【００４８】
フィルタ挿入部３０ｂの底面には、両面テープ２０を介して、保護フィルタ１０が貼り付けられている。保護フィルタ１０の側面と、フィルタ挿入部３０ｂの側面とは、接着固定されておらず僅かな隙間が形成されている。開放溝３ｂは、フィルタ挿入部３０ｂの底面よりも深くなるように形成されている。したがって、液晶ユニット１１と保護フィルタ１０とに挟まれる狭隙空間は、開放溝３ｂに加え、保護フィルタ１０とフィルタ挿入部３０ｂの側面との隙間を通じて表示装置の外部と連通している。したがって、表示パネルで発生した熱によって高温になった狭隙空間の空気は、矢印４１に示すように、装置の外部に放出される。
【００４９】
このように、狭隙空間と表示装置の外部とを連通するための開放溝を形成することによって、狭隙空間の熱を外部に放出することができ、狭隙空間と外部の環境との温度差を小さくすることができる。この結果、保護フィルタに結露が生じることを防止できる。また、固定部材のパネルが固定される側に開放溝を形成することによって、容易に、通気手段を形成することができる。
【００５０】
図６（ａ）に示すように、本実施の形態における開放溝は、表示装置の使用時に上側となる側に、他の側よりも多く形成されている。この構成を採用することによって、実施の形態１と同様に、狭隙空間の上側に対流の作用で集まる高温の空気を、効率よく狭隙空間の外側に放出することができ、狭隙空間からの放熱能力が向上する。
【００５１】
図８に示すように、開放溝３ｂの上面には、両面テープ２０の片方の面が露出されている。このように、通気手段の側壁に、非硬化性の接着部材が配置されることによって、表示装置の内部に侵入しようとする埃などの異物を接着部材に接着させ、侵入を防止することができる。本実施の形態においては、接着部材として、固定部材と保護フィルタとを接着固定するための両面テープをそのまま利用しているが、この形態に限られず、たとえば、開放溝の底面に非硬化性の接着剤が塗布されていてもよい。
【００５２】
また、図６（ａ）に示すように、表示装置の上下となる方向に形成された開放溝３ａは、外側から内側に向かって、その幅が徐々に広くなるように形成されている。また、図７に示すように、開放溝の断面において、固定部材１２ｂの外側から内側に向かって、徐々に深さが深くなるように形成されている。すなわち、開放溝３ａ，３ｂは、固定部材１２ｂの外側から内側に向かって、通気手段の通路が徐々に広くなるように形成されている。この構成を採用することによって、装置外部からの開放溝の入口部分を小さくすることができ、埃などの異物が装置の内部に侵入することを抑制できる。さらに、開放溝３ａ，３ｂを、埃などの異物を上記の接着部材に接着させる面積を大きくすることができる。したがって、埃などの異物が開放溝を通じて装置内部に侵入することを抑制する効果が向上する。
【００５３】
その他の作用および効果については、実施の形態１における表示装置と同様であるので、ここでは説明を繰返さない。
【００５４】
（実施の形態３）
（構成）
図９（ａ）から図１１を参照して、本発明に基づく実施の形態３における表示装置について説明する。
【００５５】
本実施の形態の表示装置において、固定部材と本体キャビネットとに囲まれる内部に液晶ユニットが配置され、固定部材の表側には保護フィルタが配置されていることは、実施の形態１における表示装置と同様である。本実施の形態における表示装置は、固定部材のフィルタ挿入部に形成された通気手段の構成が異なる。
【００５６】
図９（ａ）および図９（ｂ）は、本実施の形態における固定部材の説明図であり、図９（ａ）は平面図、図９（ｂ）は、図９（ａ）におけるＩＸＢ−ＩＸＢ線に関する矢視断面図である。固定部材１２ｃは、実施の形態１における固定部材と同様に、内側および外側がほぼ長方形の枠型に形成され、上側となる面には一部が切欠かれたフィルタ挿入部３０ｃが形成されている。本実施の形態における通気手段は、フィルタ挿入部３０ｃの底面の補助溝１および連通穴２に加えて、貫通穴４を有する。貫通穴４は、補助溝１および連通穴２と対になるように形成されている。貫通穴４は、フィルタ挿入部３０ｃの底面の外縁に接するように形成されている。
【００５７】
図１０に、図９（ｂ）のＤ部における拡大図を示す。フィルタ挿入部３０ｃの底面に、固定部材１２ｃの内側から外側に向かうように補助溝１が形成され、補助溝１の端に接続するように連通穴２が形成されていることは、実施の形態１と同様である。本実施の形態における固定部材は、表示装置の内部空間と表示装置の外部とを連通するための貫通穴４を有する。貫通穴４は、フィルタ挿入部３０ｃの底面から表示装置の内部に向かって、固定部材１２ｃを貫通するように形成されている。貫通穴４は、連通穴２の外側に形成されている。
【００５８】
その他の構成については実施の形態１における表示装置と同様であるので、ここでは説明を繰返さない。
【００５９】
（作用・効果）
各部材が、両面テープで接着固定されていることや、保護フィルタと表示ユニットの間に狭隙空間が形成されていることは、実施の形態１における表示装置と同様である。
【００６０】
図１１に、本実施の形態における表示装置のうち、通気手段が形成されている部分の拡大断面図を示す。固定部材１２ｃと液晶ユニット１１とが、隙間防止クッション２２を挟んで両面テープ２１で固定されていることや、固定部材１２ｃの端面と本体キャビネット１３の端面とが互いに接着固定されて、内部空間が形成されていることは、実施の形態１と同様である。
【００６１】
フィルタ挿入部３０ｃの底面には、両面テープ２０を介して保護フィルタ１０が貼り付けられている。本実施の形態における表示装置は、通気手段として、狭隙空間と表示装置内部の内部空間とを連通するための内部連通手段に加えて、内部空間と装置の外部を連通するための貫通穴４を有する。この構成を採用することによって、間隙空間の高温の空気を内部空間に拡散することができ、狭隙空間の温度の上昇を抑制できる。さらに、装置の内部空間の空気を外部に放出することができ、内部空間を効率よく冷却することができる。すなわち、矢印４２に示すように、狭隙空間の高温の空気を、内部連通手段および貫通穴４を通じて外部に放出することができる。これに伴って、狭隙空間をより効率よく冷却することができる。この結果、狭隙空間の温度が上昇することを抑制でき、保護フィルタに結露が生じることを防止できる。
【００６２】
また、図１１の矢印４２に示すように、表示装置の外部から狭隙空間までの距離が長くなって、表示装置の外部から狭隙空間に埃などの異物が侵入することを抑制する効果が増す。本実施の形態における表示装置は、内部空間と表示装置の外部とが連通しているため、内部空間に配置されている部品からの発熱量が大きい場合に特に有用である。
【００６３】
その他の作用および効果については、実施の形態１における表示装置と同様であるので、ここでは説明を繰返さない。
【００６４】
（実施の形態４）
（構成）
図１２（ａ）から図１５を参照して、本発明に基づく実施の形態４における表示装置について説明する。
【００６５】
本実施の形態の表示装置において、固定部材と本体キャビネットとに囲まれる内部に液晶ユニットが配置され、固定部材の表側には保護フィルタが配置されていることは、実施の形態１における表示装置と同様である。本実施の形態における表示装置は、固定部材のフィルタ挿入部に形成された通気手段の構成が異なる。
【００６６】
図１２（ａ）および図１２（ｂ）に、本実施の形態における固定部材の説明図を示す。図１２（ａ）は、本実施の形態における固定部材の平面図であり、図１２（ｂ）は、図１２（ａ）におけるＸＩＩＢ−ＸＩＩＢ線に関する矢視断面図である。固定部材１２ｄは、実施の形態１における固定部材と同様に、内側および外側がほぼ長方形の枠型に形成され、上側となる面には一部が切欠かれたフィルタ挿入部３０ｄが形成されている。本実施の形態における固定部材１２ｄのフィルタ挿入部３０ｄの底面には、それぞれの角に通気手段としての窪み部６および連通穴５を有する。
【００６７】
図１２（ａ）に示すように、窪み部６は、フィルタ挿入部３０ｄの底面のうち、平面形状である長方形の４つの隅に対応する位置に形成されている。窪み部６は、フィルタ挿入部３０ｄの底面の幅方向を横断するように形成されている。１つの窪み部６の底面には、１つの連通穴５が形成されている。連通穴５は、円柱状になるように形成されている。
【００６８】
図１３に、図１２（ｂ）におけるＥ部の拡大図を示す。窪み部６は、フィルタ挿入部３０ｄの底面よりも深くなるように形成され、窪み部６のうち、固定部材１２ｄの外側となる位置に、固定部材１２ｄを貫通するように、連通穴５が形成されている。窪み部６には、連通穴５と接続している側が浅く、固定部材１２ｄの内側となる側が深くなるように段差部が形成されている。
【００６９】
その他の構成については、実施の形態１における表示装置と同様であるので、ここでは説明を繰返さない。
【００７０】
（作用・効果）
各部材が、両面テープで接着固定されていることや、保護フィルタと表示ユニットの間に狭隙空間が形成されていることは、実施の形態１における表示装置と同様である。
【００７１】
図１４に、本実施の形態における固定部材１２ｄのフィルタ挿入部３０ｄに、両面テープが貼り付けられる領域を説明する図を示す。両面テープは、フィルタ挿入部３０ｄの底面に貼り付けられる。テープ貼付け領域６０は、両面テープが貼り付けられる領域を示す。両面テープは、フィルタ挿入部３０ｄの底面の大部分を、覆うように貼り付けられる。両面テープは、互いに隙間なく貼り付けられるが、窪み部６が形成されていることによって、窪み部６と固定部材１２ｄの内側とが連通した開口部１４が形成される。
【００７２】
図１５に、表示装置のうち、窪み部および連通穴が形成された部分の拡大断面図を示す。固定部材１２ｄと保護フィルタ１０とが両面テープ２０で接着固定されていることや、固定部材１２ｄと液晶ユニット１１とが隙間防止クッション２２を介して両面テープ２１で接着固定されていることは実施の形態１における表示装置と同様である。本実施の形態においては、通気手段として、窪み部６と連通穴５とが形成されている。窪み部６が形成されていることによって、窪み部６の底面と両面テープ２０との間に隙間が形成される。また、保護フィルタ１０の側面とフィルタ挿入部３０ｄの側面との間には、隙間が形成されている。窪み部６がフィルタ挿入部３０ｄの底面の幅方向を横断するように形成されていることによって、狭隙空間と表示装置の外部とを窪み部６を通じて連通することができる。したがって、矢印４３に示すように、狭隙空間の高温の空気を表示装置の外部に逃がすことができる。この結果、狭隙空間の温度が上昇することを抑制でき、保護フィルタ１０に結露が生じることを防止できる。
【００７３】
また、連通穴５が形成されることによって、表示装置の内部空間、狭隙空間および表示装置の外部を連通することができ、狭隙空間の温度が上昇することをさらに抑制することができる。窪み部６が連通穴５と接続している側が浅く、固定部材１２ｄの内側となる側が深くなるように形成されていることによって、連通穴５と狭隙空間とを接続する通路の断面が小さくなる部分が形成されて、埃などの異物が狭隙空間に侵入することを抑制できる。
【００７４】
また、図１４に示すように、フィルタ挿入部３０ｄに貼り付けられる両面テープは、矩形状のものを４つ用いている。この両面テープそれぞれの端部となる位置に、窪み部が形成されている。窪み部が形成されている部分においては、両面テープは、保護フィルタのみに接着して、固定部材１２ｄには接着しない。リサイクルなどにおいて、窪み部６が形成されている部分から、保護フィルタを剥がし取るようにすると、両面テープは、保護フィルタに接着され、固定部材には残らない状態で、２つの部材を分離することができる。窪み部は、このような、リサイクルを行なう部材に形成して、両面テープが残らないようにする効果も有する。
【００７５】
その他の作用および効果については、実施の形態１における表示装置と同様であるので、ここでは説明を繰返さない。
【００７６】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００７７】
【図１】実施の形態１における表示装置の分解図である。
【図２】（ａ）は、実施の形態１における表示装置の平面図であり、（ｂ）は、断面図である。
【図３】実施の形態１における表示装置のうち、通気手段が形成されている部分の拡大断面図である。
【図４】（ａ）は、実施の形態１における固定部材の平面図であり、（ｂ）は、断面図である。
【図５】実施の形態１における固定部材のうち、通気手段が形成されている部分の拡大断面図である。
【図６】（ａ）は、実施の形態２における固定部材の平面図であり、（ｂ）は、実施の形態２における固定部材の断面図である。
【図７】実施の形態２における固定部材のうち、通気手段が形成されている部分の拡大断面図である。
【図８】実施の形態２における表示装置のうち、通気手段が形成されている部分の拡大断面図である。
【図９】（ａ）は、実施の形態３における固定部材の平面図であり、（ｂ）は、断面図である。
【図１０】実施の形態３における固定部材のうち、通気手段が形成されている部分の拡大断面図である。
【図１１】実施の形態３における表示装置のうち、通気手段が形成されている部分の拡大断面図である。
【図１２】（ａ）は、実施の形態４における固定部材の平面図であり、（ｂ）は、断面図である。
【図１３】実施の形態４における固定部材のうち、通気手段が形成されている部分の拡大断面図である。
【図１４】実施の形態４における固定部材に両面テープを貼り付ける領域を説明する図である。
【図１５】実施の形態４における表示装置のうち、通気手段が形成されている部分の拡大断面図である。
【図１６】従来の技術に基づく表示装置の分解図である。
【図１７】（ａ）は、従来の技術に基づく表示装置の平面図であり、（ｂ）は、分解図である。
【図１８】従来の技術に基づく表示装置のうち、保護フィルタと固定部材と液晶ユニットとを接着固定している部分の拡大断面図である。
【符号の説明】
【００７８】
１  補助溝、２，５  連通穴、３ａ，３ｂ  開放溝、４  貫通穴、６  窪み部、１０  保護フィルタ、１１  液晶ユニット、１２ａ，１２ｂ，１２ｃ，１２ｄ，１５  固定部材、１３  本体キャビネット、１４  開口部、２０，２１  両面テープ、２２  隙間防止クッション、３０ａ，３０ｂ，３０ｃ，３０ｄ，３１  フィルタ挿入部、４０，４１，４２，４３，４４，５０，５１，５２  矢印、６０  テープ貼付け領域、６１  不透明領域。
【図１】
2005062777.tif 000003
【図２】
2005062777.tif 000004
【図３】
2005062777.tif 000005
【図４】
2005062777.tif 000006
【図５】
2005062777.tif 000007
【図６】
2005062777.tif 000008
【図７】
2005062777.tif 000009
【図８】
2005062777.tif 000010
【図９】
2005062777.tif 000011
【図１０】
2005062777.tif 000012
【図１１】
2005062777.tif 000013
【図１２】
2005062777.tif 000014
【図１３】
2005062777.tif 000015
【図１４】
2005062777.tif 000016
【図１５】
2005062777.tif 000017
【図１６】
2005062777.tif 000018
【図１７】
2005062777.tif 000019
【図１８】
2005062777.tif 000020